(57)【特許請求の範囲】
【請求項１】
ユーザの現状を示す情報である現状情報を項目毎にスコア化した現状モデルを取得する現状情報取得手段と、
前記ユーザの願望を示す情報である願望情報を項目毎にスコア化した願望モデルを取得する願望情報取得手段と、
前記ユーザに提示する情報の候補であり、前記項目別にスコアが対応付けられた提示情報候補を取得する候補取得手段と、
前記提示情報候補に付された前記項目毎のスコアに基づいて、前記提示情報候補のうち、前記願望モデルに示されるスコアと前記現状モデルに示されるスコアとの差が大きい前記項目に関する前記提示情報候補ほど、及び、前記スコアが低い前記項目に関する前記提示情報候補ほど優先して、前記ユーザへの提示情報として選択する情報選択手段と、
を備える提示情報選択装置。
【請求項２】
前記願望情報取得手段は、前記ユーザがユーザ自らの願望に応じて前記現状モデルを書き換えた前記願望モデルを取得する、
請求項１に記載の提示情報選択装置。
【請求項３】
前記現状情報取得手段は、前記ユーザがコンピュータを用いて閲覧した商品情報及びサービス情報をスコア化して前記現状モデルを生成する、請求項１または２に記載の提示情報選択装置。
【請求項４】
前記願望情報取得手段は、前記ユーザによるＳＮＳへの書き込み内容、あるいは、前記ユーザによりデザインされたアバターに基づいて、前記願望モデルを生成する、
請求項１乃至３のいずれか一項に記載の提示情報選択装置。
【請求項５】
情報処理装置によって、
ユーザの現状を示す情報である現状情報を項目毎にスコア化した現状モデルを取得し、
前記ユーザの願望を示す情報である願望情報を項目毎にスコア化した願望モデルを取得し、
前記ユーザに提示する情報の候補であり、前記項目別にスコアが対応付けられた提示情報候補を取得し、
前記提示情報候補に付された前記項目毎のスコアに基づいて、前記提示情報候補のうち、前記願望モデルに示されるスコアと前記現状モデルに示されるスコアとの差が大きい前記項目に関する前記提示情報候補ほど、及び、前記スコアが低い前記項目に関する前記提示情報候補ほど優先して、前記ユーザへの提示情報として選択する、
提示情報選択方法。
【請求項６】
情報処理装置によって、
前記願望情報として、前記ユーザがユーザ自らの願望に応じて前記現状モデルを書き換えた前記願望モデルを取得する、
請求項５に記載の提示情報選択方法。
【請求項７】
情報処理装置によって、
前記ユーザがコンピュータを用いて閲覧した商品情報及びサービス情報をスコア化して前記現状モデルを生成する、請求項５または６に記載の提示情報選択方法。
【請求項８】
情報処理装置によって、
前記ユーザによるＳＮＳへの書き込み内容、あるいは、前記ユーザによりデザインされたアバターに基づいて、前記願望モデルを生成する、
請求項５乃至７のいずれか一項に記載の提示情報選択方法。
【請求項９】
ユーザの現状を示す情報である現状情報を項目毎にスコア化した現状モデルを取得することと、
前記ユーザの願望を示す情報である願望情報を項目毎にスコア化した願望モデルを取得することと、
前記ユーザに提示する情報の候補であり、前記項目別にスコアが対応付けられた提示情報候補を取得することと、
前記提示情報候補に付された前記項目毎のスコアに基づいて、前記提示情報候補のうち、前記願望モデルに示されるスコアと前記現状モデルに示されるスコアとの差が大きい前記項目に関する前記提示情報候補ほど、及び、前記スコアが低い前記項目に関する前記提示情報候補ほど優先して、前記ユーザへの提示情報として選択することと、
をコンピュータに実行させるためのプログラム。
【請求項１０】
前記プログラムは、前記コンピュータに、
前記願望情報として、前記ユーザがユーザ自らの願望に応じて前記現状モデルを書き換えた前記願望モデルを取得することと、
を実行させることを特徴とする請求項９に記載のプログラム。
【発明の詳細な説明】
【技術分野】
【０００１】
本発明は、提示情報選択装置、提示情報選択方法及び記録媒体に関する。
【背景技術】
【０００２】
ユーザの興味を推定し、推定した興味に基づいて情報を提供する幾つかの技術が提案されている。【０００３】
例えば、特許文献１には、ネットワーク化されたシステムのユーザに推薦を提供する方法が記載されている。この方法では、複数のユーザのメディアプロファイルを比較して、興味あるメディアに関して第１のユーザと類似するユーザ候補を識別する。また、この方法では、第１のユーザによるオンライン取引トランザクションに関するイベントを検出し、検出したイベントに関する推薦を生成する。そして、この方法では、ユーザ候補の興味あるメディアに基づき推薦をカスタマイズし、カスタマイズされた推薦をユーザ候補に提供する。
【先行技術文献】
【特許文献】
【０００４】
【特許文献１】特表２０１３−５３６９６６号公報
【発明の概要】
【発明が解決しようとする課題】
【０００５】
ユーザに適切な情報を提供するために、ユーザの興味の推定方法が重要である。【０００６】
例えば、ユーザの興味を推定する方法の１つとしてユーザの嗜好を推定し、嗜好に合った情報を提供することが考えられる。しかしながら、ユーザの嗜好と欲求とは必ずしも一致せず、提供された情報がユーザの好みではあるが欲しくはないということが考えられる。【０００７】
この点に関し、特許文献１に記載の発明では、ユーザの好みを興味として用いることは記載されているものの、ユーザの好み（嗜好）と欲求とが一致しない可能性に対する対応策は示されていない。【０００８】
本発明は、上述の課題を解決することのできる提示情報選択装置、提示情報選択方法及び記録媒体を提供することを目的としている。
【課題を解決するための手段】
【０００９】
本発明の第１の態様によれば、提示情報選択装置は、ユーザの現状を示す情報である現状情報を取得する現状情報取得手段と、前記ユーザの願望を示す情報である願望情報を取得する願望情報取得手段と、前記ユーザに提示する情報の候補である提示情報候補を取得する候補取得手段と、前記現状情報と前記願望情報との相違に基づいて、前記提示情報候補の中から前記ユーザへの提示情報を選択する情報選択手段と、を備える。【００１０】
本発明の第２の態様によれば、提示情報選択方法では、ユーザの現状を示す情報である現状情報を取得し、前記ユーザの願望を示す情報である願望情報を取得し、前記ユーザに提示する情報の候補である提示情報候補を取得し、前記現状情報と前記願望情報との相違に基づいて、前記提示情報候補の中から前記ユーザへの提示情報を選択する。【００１１】
本発明の第３の態様によれば、記録媒体は、ユーザの現状を示す情報である現状情報を取得することと、前記ユーザの願望を示す情報である願望情報を取得することと、前記ユーザに提示する情報の候補である提示情報候補を取得することと、前記現状情報と前記願望情報との相違に基づいて、前記提示情報候補の中から前記ユーザへの提示情報を選択することと、をコンピュータに実行させるためのプログラムを記録する。
【発明の効果】
【００１２】
この発明によれば、ユーザの欲求を提示情報の選択に反映させることができるので、ユーザが欲する情報を提示できる可能性を高めることができる。
【図面の簡単な説明】
【００１３】
【図１】本発明の実施形態に係る提示情報選択装置の機能構成を示す概略ブロック図である。
【図２】現状情報取得部１９２が取得する行動情報の例を示す図である。
【図３】現状モデルの例を示す図である。
【図４】現状モデルのレーダーチャート形式での表示例を示す図である。
【図５】ペルソナ形式の現状モデルの表示例を示す図である。
【図６】願望モデルの例を示す図である。
【図７】願望モデルのレーダーチャート形式での表示例を示す図である。
【図８】ペルソナ形式の願望モデルの表示例を示す図である。
【図９】提示情報候補群の例を示す図である。
【図１０】候補スコア対応情報の例を示す図である。
【図１１】現状情報と願望情報との相違の例を示す図である。
【図１２】現状モデルと願望モデルとを重ね合わせて表示する表示例を示す図である。
【図１３】情報選択部１９５による提示情報候補からの情報の選択例を示す図である。
【図１４】提示情報選択装置１００がユーザに提示する情報を選択する処理の手順の例を示すシーケンス図である。
【図１５】本発明に係る情報提示装置の最小構成を示す概略構成図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
【００１５】
図１は、本発明の実施形態に係る提示情報選択装置の機能構成を示す概略ブロック図である。図１に示すように、提示情報選択装置１００は、通信部１１０と、表示部１２０と、操作入力部１３０と、記憶部１８０と、制御部１９０とを備える。制御部１９０は、ブラウザ機能部１９１と、現状情報取得部１９２と、願望情報取得部１９３と、候補取得部１９４と、情報選択部１９５とを備える。
【００１６】
また、提示情報選択装置１００は、インターネット（Ｉｎｔｅｒｎｅｔ）９００に通信接続する。
【００１７】
提示情報選択装置１００は、提示情報選択装置１００のユーザに情報を選択的に提示する装置である。ここで言う提示情報選択装置１００のユーザは、提示情報選択装置１００が情報を提供する対象の人である。以下では、提示情報選択装置１００のユーザを単にユーザと称する。
【００１８】
本実施形態では、提示情報選択装置１００は、インターネット９００上の商品情報及びサービス情報などインターネット９００から得られる情報をユーザに提示する。但し、提示情報選択装置１００がユーザに提示する情報の情報源はインターネット９００に限らない。例えば、提示情報選択装置１００が情報提供用のデータベースに通信接続し、このデータベースから情報を取得するようにしてもよい。あるいは、このデータベースが提示情報選択装置１００に内蔵されていてもよい。
【００１９】
提示情報選択装置１００は、例えばパソコン（Personal Computer；ＰＣ）、タブレット端末装置、又は、汎用サーバ装置などの汎用コンピュータが提示情報選択機能のアプリケーションプログラムを実行することで構成される。あるいは、提示情報選択装置１００は、ＡＳＩＣ（Application Specific Integrated Circuit）を用いて構成されるなど、専用のハードウェアにて構成されていてもよい。
【００２０】
本実施形態では、提示情報選択装置１００が、ユーザが操作するコンピュータと一体に構成されている場合を例に説明する。但し、提示情報選択装置１００が、ユーザが操作するコンピュータとは別の装置として構成されていてもよい。また、提示情報選択装置１００が、複数のコンピュータ（の各ユーザ）に情報を提示するサーバ装置として構成されていてもよい。
【００２１】
通信部１１０は、他の機器と通信を行う。特に、通信部１１０は、インターネット９００を介してインターネットサーバ装置と通信接続する。ここでいうインターネットサーバ装置は、インターネット上でサービスを提供するコンピュータである。
【００２２】
表示部１２０は、例えば液晶パネル又はＬＥＤ（Light Emitting Diode）パネルなどの表示画面を備え、各種画像を表示する。
【００２３】
操作入力部１３０は、例えばキーボード及びマウス、又は、表示部１２０の表示画面に設けられてタッチパネルを構成するタッチセンサ、又はこれらの組み合わせなどの入力デバイスを備え、ユーザ操作を受ける。
【００２４】
記憶部１８０は、提示情報選択装置１００が備える記憶デバイスを用いて構成され、各種情報を記憶する。記憶部１８０の一部または全部が、提示情報選択装置１００に外付けの記憶デバイス又はＮＡＳ（Network Attached Storage）を用いて構成されるなど、提示情報選択装置１００の外部の装置を用いて構成されていてもよい。
【００２５】
制御部１９０は、提示情報選択装置１００の各部を制御して各種機能を実行する。制御部１９０は、提示情報選択装置１００が備えるＣＰＵ（Central Processing Unit、中央処理装置）が記憶部１８０からプログラムを読み出して実行することで構成される。あるいは、制御部１９０が専用のハードウェアにて構成されていてもよい。
【００２６】
ブラウザ機能部１９１は、ユーザにウェブブラウザ（Web Browser）機能を提供する。ブラウザ機能部１９１として一般的なウェブブラウザを用いることができる。
【００２７】
なお、上述したように、提示情報選択装置１００が、ユーザが操作するコンピュータと別の装置として構成されていてもよい。この場合、ブラウザ機能部１９１は、ユーザが操作するコンピュータに設けられてユーザにウェブブラウジング機能を提供する。
【００２８】
現状情報取得部１９２は、現状情報を取得する。ここでいう現状情報は、ユーザの現状を示す情報である。例えば、現状情報は、ユーザが行った行動を示す情報であってもよい。あるいは、現状情報は、ユーザが有している資格、ユーザの身体的な状態、又は、ユーザの精神的な状態など、ユーザの状態を示す情報であってもよい。あるいは、現状情報は、ユーザが所持している物の情報であってもよい。あるいは、現状情報は、これらの組み合わせであってもよい。
【００２９】
本実施形態では、現状情報取得部１９２が、ブラウザ機能部１９１から行動情報を取得し、行動情報から現状モデルを生成する場合を例に説明する。行動情報、現状モデルのいずれも現状情報の例に該当する。
【００３０】
ここでいう行動情報は、ユーザの行動を示す情報である。本実施形態では、現状情報取得部１９２が、ウェブブラウジング（Web Browsing）におけるユーザの行動を示す情報を行動情報として取得する場合を例に説明する。
【００３１】
また、ここでいう現状モデルは、ユーザの現状を項目毎にスコア化した情報である。本実施形態では、現状情報取得部１９２が、ユーザがウェブブラウジングにて閲覧した商品情報及びサービス情報をスコア化して現状モデルを生成する場合を例に説明する。
【００３２】
なお、行動モデルと後述する願望モデルとを総称してユーザモデルと表記する。
【００３３】
図２は、現状情報取得部１９２が取得する行動情報の例を示す図である。図２の例では行動情報が表形式の情報として構成されており、１行分の情報が１つの商品又はサービスに対するユーザの行動を示す。図２に示す行動情報は、「ユーザＩＤ」欄と、「閲覧サイト」欄と、「アクション」欄と、「商品」欄とを含んで構成されている。
【００３４】
「ユーザＩＤ」欄にはユーザＩＤが格納される。ユーザＩＤは、ユーザを識別するための識別情報である。なお、提示情報選択装置１００が対象とするユーザが一人のみの場合は、行動情報にユーザＩＤが含まれていなくてもよい。後述する他の情報についても同様である。
【００３５】
「閲覧サイト」欄にはユーザＩＤで示されるユーザが閲覧したウェブサイトのアドレスが格納される。
【００３６】
「アクション」欄には、ユーザが閲覧したサイトで行ったアクション（行動）を示すアクション情報が格納される。アクション情報の「購入」は、その商品を購入したことを示す。「閲覧」は、その商品（の情報）を閲覧したことを示す。
【００３７】
「商品」欄には、「アクション」欄に示されるアクションの対象となった商品の情報が格納される。「商品」欄に商品名が格納されていてもよいし、商品の種類を示す情報が格納されていてもよい。あるいは、これらの組み合わせが「商品」欄に格納されていてもよい。
【００３８】
例えば、行Ｌ１１１は、ユーザＩＤ「ＡＵ００１」のユーザがウェブサイト「ａａａ．ｘｘｘ．ｃｏｍ」でサッカーシューズ（の情報）を閲覧したことを示す。また、行Ｌ１１２は、ユーザＩＤ「ＡＵ００１」のユーザがウェブサイト「ｂｂｂ．ｙｙｙ．ｃｏｍ」で漫画を購入したことを示す。
【００３９】
現状情報取得部１９２は、ユーザがウェブブラウジングを行った際にブラウザ機能部１９１から情報を取得する。特に、現状情報取得部１９２は、閲覧サイトのアドレス、ユーザが閲覧したウェブページに表示された商品（商品情報）及びサービス（サービス情報）、及び、これら商品及びサービスのうちユーザが購入した商品及びサービスの情報を取得する。
【００４０】
そして、現状情報取得部１９２は、ブラウザ機能部１９１から取得した情報を用いて行動情報を生成し、記憶部１８０に記憶させる。
【００４１】
図３は、現状モデルの例を示す図である。図３の例では現状モデルが表形式の情報として構成されており、各行に項目毎のスコアが示されている。図３に示す現状モデルは、「ユーザＩＤ」欄と、「項目」欄と、「スコア」欄とを含んで構成されている。
【００４２】
「ユーザＩＤ」欄にはユーザＩＤが格納される。
【００４３】
「項目」欄には、行動情報に示される商品及びサービスを特徴毎に分類する項目が格納される。
【００４４】
図３の例で、「ＴＶ、ゲーム、漫画」の項目には、娯楽に関する商品及びサービスが分類される。
【００４５】
「サッカー」の項目には、スポーツに関する商品及びサービスが分類される。「居酒屋」の項目には、飲み会に利用可能なタイプの飲食店（飲食サービス）が分類される。
【００４６】
「資格、免許」の項目には、資格取得のための本及び講座、免許取得のための教習所など、資格及び免許に関する商品及びサービスが分類される。
【００４７】
「健康」の項目には、健康増進グッズ及び病院（医療サービス）など、健康に関する商品及びサービスが分類される。
【００４８】
「スコア」欄には、商品及びサービスが分類された項目毎のスコアが格納される。
【００４９】
現状情報取得部１９２は、例えば、記憶部１８０が記憶している直近１年分の行動情報など、直近の所定期間の行動情報を解析して現状モデルを生成する。現状モデルの生成に関しては、特開２０１０−２６２５３４号公報（例えば、図７および図９参照）、又は、特願２０１５−０６２０５５号（特開２０１６−１８１１９６号公報）に記載されている技術などを用いることができる。
【００５０】
商品及びサービスを少なくとも１つの項目へ分類するために、現状情報取得部１９２が、商品説明及びサービス説明からキーワードを抽出するようにしてもよい。そして、記憶部１８０が、キーワードと項目との対応関係を示す情報を予め記憶しておき、現状情報取得部１９２が、抽出したキーワードをこの情報に適用して分類を行うようにしてもよい。
【００５１】
なお、現状情報取得部１９２が、１つの商品又はサービスを複数の項目に分類するようにしてもよい。
【００５２】
各項目のスコア算出について、現状情報取得部１９２が、各項目に分類された商品及びサービスの閲覧回数（表示部１２０が表示した回数）の合計をスコアに換算するようにしてもよい。あるいは、現状情報取得部１９２が、各項目に分類された商品及びサービスの閲覧時間（表示部１２０が表示した時間）の合計をスコアに換算するようにしてもよい。
【００５３】
あるいは、商品毎及びサービス毎に、当該商品毎及びサービスが属する項目の情報と、当該商品毎及びサービスのスコアの情報が予め定められていてもよい。現状情報取得部１９２が、この予め定められている項目に基づいて商品及びサービスの分類を行い、項目毎に、当該項目に属する商品及びサービスのスコアを合計するようにしてもよい。
【００５４】
現状情報取得部１９２は、生成した現状モデルを表示部１２０に表示させる。表示部１２０が表示した現状モデルをユーザが書き換えることで、後述する願望モデルが得られる。
【００５５】
但し、表示部１２０が、現状モデルを表示する形式は、図３の例のような表形式に限らない。例えば、表示部１２０がレーダーチャート（Radar Chart）の形式で現状モデルを表示するようにしてもよい。
【００５６】
図４は、現状モデルのレーダーチャート形式での表示例を示す図である。図４の例では、表示部１２０は、図３の例における観察モデルをレーダーチャート形式で表示している。
【００５７】
このように、表示部１２０が現状モデルをレーダーチャート形式で表示することで、ユーザは、現状モデルにおけるスコアをより直感的に把握することができる。
【００５８】
表示部１２０が、現状モデルの表形式での表示に加えてレーダーチャート形式でも表示するようにしてもよい。あるいは、表示部１２０が、現状モデルの表形式での表示に代えてレーダーチャート形式で表示するようにしてもよい。
【００５９】
あるいは、現状情報取得部１９２が、スコア形式の現状モデルに加えて、あるいは代えて、ユーザの行動を文章で表現した情報を生成し、表示部１２０に表示させるようにしてもよい。以下では、ユーザの行動を文章で表現する形式をペルソナ形式と称する。また、ユーザの現状の行動をペルソナ形式で示した情報をペルソナ形式の現状モデルと称する。
【００６０】
図５は、ペルソナ形式の現状モデルの表示例を示す図である。図５の例では、ペルソナ形式の現状モデルが表形式の情報として構成されている。
【００６１】
図５に示すペルソナ形式の現状モデルでは、「ユーザＩＤ」欄には、ユーザＩＤが格納されている。「性別」欄には、ユーザの性別が格納されている。「年齢」欄には、ユーザの年齢が格納されている。
【００６２】
ペルソナ形式の現状モデルは、ユーザ自身の情報として表示されていてもよいし、架空の人物の情報として表示されていてもよい。「年齢」欄にも、「○○歳」というように正確な年齢が格納されていてもよいし、図５の例のようにおおよその年齢が格納されていてもよい。
【００６３】
あるいは、ペルソナ形式の現状モデルが、「性別」欄及び「年齢」欄のうちいずれか一方又は両方を含んでいなくてもよい。
【００６４】
「平日：昼の過ごし方」、「平日：夜の過ごし方」、「休日：昼の過ごし方」、「休日：夜の過ごし方」の各欄には、該当する時間帯におけるユーザの現状の行動パターンが簡単な文章で示されている。
【００６５】
例えば、記憶部１８０が各時間帯の行動パターンのテンプレートを予め記憶しておく。また、記憶部１８０が、スコア形式の現状モデルにおけるスコアと行動パターンとの対応関係情報を予め記憶しておく。そして、現状情報取得部１９２は、スコア形式の現状モデルにおけるスコアを参照してペルソナ形式の現状モデルを生成する。
【００６６】
あるいは、現状情報取得部１９２が、ユーザがコンピュータ（本実施形態では提示情報選択装置１００）に登録したスケジュール情報からユーザの行動パターンを解析してペルソナ形式の現状モデルを生成するようにしてもよい。この場合、スケジュール情報が現状情報の例に該当する。
【００６７】
あるいは、現状情報取得部１９２が、ユーザのブログ等のプロフィール情報からユーザの行動パターンを解析してペルソナ形式の現状モデルを生成するようにしてもよい。この場合、プロフィール情報が現状情報の例に該当する。
【００６８】
表示部１２０がペルソナ形式の現状モデルを表示することで、ユーザは、自らの現状の行動パターンを具体的にイメージし易くなる。
【００６９】
願望情報取得部１９３は、願望情報を取得する。ここでいう願望情報は、ユーザの願望を示す情報である。具体的には、願望情報取得部１９３は、願望モデルを取得する。ここでいう願望モデルは、ユーザの願望を項目毎にスコア化した情報である。
【００７０】
本実施形態では、願望情報取得部１９３は、表示部１２０が表示した現状モデルをユーザがユーザ自らの願望に応じて書き換えた願望モデルを取得する。
【００７１】
図６は、願望モデルの例を示す図である。
【００７２】
図６の例では、ユーザは、図５に示される観察モデルに対し、「資格、免許」の項目のスコアを「０．５」に書き換える修正を行っている。また、ユーザは、「オシャレ、レストラン」の項目を追加してスコアを「０．４」とする修正を行っている。
【００７３】
「オシャレ、レストラン」の項目には、ファッションに関する商品及びサービスと、レストランタイプの飲食店（飲食サービス）とが分類される。
【００７４】
提示情報選択装置１００が、ユーザが追加した項目の内容を、項目名に示されるキーワードから把握するようにしてもよい。あるいは、提示情報選択装置１００が項目を把握できるように、ユーザが所定の項目のいずれかを選択するようにしてもよい。例えば、ユーザが願望モデルに行を追加した際に、表示部１２０がプルダウンメニュー形式で複数の項目を表示し、ユーザがいずれかの項目を選択するようにしてもよい。
【００７５】
図７は、願望モデルのレーダーチャート形式での表示例を示す図である。図７の例では、表示部１２０は、図６の例における願望モデルをレーダーチャート形式で表示している。
【００７６】
このように、表示部１２０が現状モデルをレーダーチャート形式で表示することで、ユーザは、現状モデルにおけるスコアをより直感的に把握することができる。
【００７７】
願望情報取得部１９３が、表形式で得られた願望モデルをレーダーチャート形式で表示部１２０に表示させるようにしてもよい。
【００７８】
あるいは、図４の例のように表示部１２０がレーダーチャート形式で表示した現状モデルをユーザが書き換えるようにしてもよい。この場合、願望情報取得部１９３は、書き換えられた現状モデルを願望モデルとして取得する。
【００７９】
あるいは、願望情報取得部１９３が、ペルソナ形式の願望モデルを取得するようにしてもよい。ここでいうペルソナ形式の願望モデルは、ユーザが願望する行動を文章で表現した情報である。
【００８０】
願望情報取得部１９３が、図６の例のようなスコア形式の願望モデルに基づいて、ペルソナ形式の願望モデルを生成するようにしてもよい。あるいは、ペルソナ形式の現状モデルをユーザが書き換えた情報を、願望情報取得部１９３がペルソナ形式の願望モデルとして取得するようにしてもよい。
【００８１】
図８は、ペルソナ形式の願望モデルの表示例を示す図である。図８の例では、ユーザは、図５に示されるペルソナ形式の現状モデルを書き換えており、これによってペルソナ形式の願望モデルが得られている。ユーザは、平日の昼間の過ごし方として、大学の講義の合間は、資格取得に向けて勉強をしたいという願望（ユーザが考える理想）を記載している。また、ユーザは、休日の昼間の過ごし方として、バイト（アルバイト）がない時は彼女とドライブをしたいという願望を記載している。また、ユーザは、休日の夜の過ごし方として、素敵なレストランでディナーを取りたいという願望を記載している。
【００８２】
なお、願望モデルを生成する方法として、上記のようにユーザ自身に入力させる方法に代えて、願望情報取得部１９３が願望モデルを自動生成するようにしてもよい。例えば、願望情報取得部１９３が、ユーザ自身のＳＮＳ等への「・・・が欲しい」、「・・・になりたい」といった書込み、又は、他ユーザのレビュー・発言に対してのコメント等に基づいて願望モデルを生成することも可能であるようにしてもよい。あるいは、ユーザにアバターをデザインさせて、デザインされたアバターより願望モデルを抽出するといった方法も可能である。
【００８３】
候補取得部１９４は、提示情報候補を取得する。ここでいう提示情報候補は、ユーザに提示する情報の候補である。
【００８４】
図９は、提示情報候補群の例を示す図である。図９の例では提示情報候補群が表形式の情報として構成されており、各行が提示情報候補の例に該当する。図９に示す提示情報候補群は、「商品ＩＤ」欄と、「商品名」欄と、「商品説明」欄とを含んで構成されている。
【００８５】
「商品ＩＤ」欄には商品ＩＤが格納される。商品ＩＤは、商品又はサービスを識別するための識別情報である。
【００８６】
「商品名」欄には商品ＩＤで識別される商品又はサービスの名称（商品名）が格納される。
【００８７】
「商品説明」欄には商品ＩＤで識別される商品又はサービスの説明（商品説明又はサービス説明）が格納されている。
【００８８】
例えば、行Ｌ２１１は、商品ＩＤ「ＡＳ００１」で識別されるサービスがナイトクルージングであり、夜の海のクルージングでディナーが提供されることが示されている。行Ｌ２１１は、提供情報候補の例に該当する。
【００８９】
候補取得部１９４は、例えば通信部１１０を介してウェブサーバからウェブページ情報を取得し、ウェブページ情報を解析してそのページに示されている商品又はサービスの商品ＩＤと、商品名と、商品説明又はサービス説明とを取得する。そして、候補取得部１９４は、得られた情報を用いて提供情報候補を生成し、提供情報候補群の行の形式で記憶部１８０に記憶させる。候補取得部１９４が、ユーザがブラウザ機能部１９１を用いて閲覧したウェブページから情報を取得するようにしてもよいし、ユーザの閲覧とは別に情報を取得するようにしてもよい。
【００９０】
また、候補取得部１９４は、願望モデルの項目別にスコアが対応付けられた提示情報候補を取得する。提示情報候補とスコアとを対応付ける情報は、提示情報候補の一部として構成されていてもよいし、提示情報候補とは別の情報として構成されていてもよい。
【００９１】
図１０は、候補スコア対応情報の例を示す図である。ここでいう候補スコア対応情報は、提示情報候補と項目別のスコアとを対応付ける情報である。図１０の例では候補スコア対応情報が表形式の情報として構成されており、各行に１つの商品又はサービス、かつ、１つの項目に対応付けられるスコアが示されている。図１０に示す候補スコア対応モデルは、「商品ＩＤ」欄と「項目」欄と、「スコア」欄とを含んで構成されている。
【００９２】
「商品ＩＤ」欄には商品ＩＤが格納される。この商品ＩＤにより、候補スコア対応情報の行と提供情報候補群の行（従って、１つの提供情報候補）とが対応付けられる。図１０の例で、候補スコア対応情報の「商品ＩＤ」欄には同じ商品ＩＤが複数行に格納されており、候補スコア対応情報の複数行が提供情報候補群の１行に対応付けられている。
【００９３】
「項目」欄には、願望モデルの場合と同様、商品及びサービスを特徴毎に分類する項目が格納される。候補スコア対応情報の各行に示される商品ＩＤと項目との組み合わせにより、その行に示されるスコアが、１つの商品かつ１つの項目に対応付けられる。
【００９４】
例えば、行Ｌ３１１は、商品ＩＤが「ＡＳ００１」であるナイトクルージング（図９参照）の、「資格、免許」項目のスコアが０．１であることを示している。
【００９５】
候補取得部１９４は、例えば、記憶部１８０が記憶している提示情報候補群の商品説明及びサービス説明を解析することで、候補スコア対応情報を生成する。候補スコア対応情報の生成に関しては、特開２０１０−２６２５３４号公報、又は、特願２０１５−０６２０５５号（特開２０１６−１８１１９６号公報）に記載されている技術など公知の技術を用いることができる。
【００９６】
候補スコア対応情報の生成について、候補取得部１９４が、商品説明及びサービス説明からキーワードを抽出するようにしてもよい。そして、記憶部１８０が、キーワード毎かつ項目毎にスコアを示す情報を予め記憶しておき、候補取得部１９４が、抽出したキーワードをこの情報に適用してスコアを算出するようにしてもよい。
【００９７】
あるいは、商品毎、かつ、項目毎のスコアを示す情報が予め生成されていてもよい。例えば、ウェブページにおける商品の表示及びサービスの表示に対応付けて、その商品又はサービスについてのスコアが項目ごとに示されていてもよい。候補取得部１９４が、この情報を取得することで候補スコア対応情報を取得するようにしてもよい。
【００９８】
なお、図１０の例では、図６の願望モデルの例に示される項目のうち、図３の現状モデルの例からスコアが更新又は追加された項目と、図６の願望モデルの例におけるスコアが所定の閾値（例えば、０．５）以上である項目とが示されている。「資格、免許」、及び、「オシャレ、レストラン」の各項目が、現状モデルからスコアが更新又は追加された項目の例に該当する。また、「ＴＶ、ゲーム、漫画」の項目が、願望モデルにおけるスコアが所定の閾値以上である項目の例に該当する。
【００９９】
このように、候補スコア対応情報にスコアを示す項目を限定することで、候補取得部１９４が候補スコア情報を生成する際の負荷を限定させることができる。
【０１００】
情報選択部１９５は、現状情報と願望情報との相違に基づいて提示情報候補のうちユーザに提示する情報を選択する。特に、情報選択部１９５は、項目毎に、願望モデルに示されるスコアと現状モデルに示されるスコアとの差、及び、提示情報候補に付されたスコアに基づいて、提示情報候補の中からユーザに提示する情報を選択する。
【０１０１】
図１１は、現状情報と願望情報との相違の例を示す図である。具体的には、図１１は、図３に例示する現状モデルにおけるスコアと、図６に例示する願望モデルにおけるスコアとの差を項目毎に示している。以下では、現状モデルにおけるスコアと、願望モデルにおけるスコアとの差を項目毎に示す情報をスコア差分情報と称する。
【０１０２】
図１１の例では、スコア差分情報が表形式の情報として構成されており、各行に項目毎のスコアが示されている。図１１に示すスコア差分情報は、「ユーザＩＤ」欄と、「項目」欄と、「スコア（現状モデル）」欄と、「スコア（願望モデル）」欄と、「差分」欄とを含んで構成されている。
【０１０３】
「ユーザＩＤ」欄にはユーザＩＤが格納される。
【０１０４】
「項目」欄には、現状モデル及び願望モデルのうち何れか一方又は両方で評価されたスコアがゼロ以上である項目が格納される。
【０１０５】
「スコア（現状モデル）」欄には、現状モデルで評価したスコアが格納される。
【０１０６】
「スコア（願望モデル）」欄には、願望モデルで評価したスコアが格納される。
【０１０７】
「差分」欄には、願望モデルでの該当項目のスコアから現状モデルでの該当項目のスコアを減算した差が格納される。従って、「差分」欄に格納される値は、ユーザが特定の項目に属する商品又はサービスにかけるコストを、現状からどれぐらい変化させたいかを示している。
【０１０８】
情報選択部１９５が、生成したスコア差分情報を表示部１２０に表示させるようにしてもよい。ユーザが、表示された差分情報を確認し、差分がユーザの意図と異なる場合には願望モデルを修正するようにしてもよい。
【０１０９】
あるいは、表示部１２０が、制御部１９０の制御に従って、現状モデルと願望モデルとをレーダーチャート形式で重ね合わせて表示するようにしてもよい。
【０１１０】
図１２は、現状モデルと願望モデルとを重ね合わせて表示する表示例を示す図である。
【０１１１】
図１２の例では、図５及び図６に示される現状モデルと、図８及び図９に示される願望モデルとが、レーダーチャート形式で重ね合わせて表示されている。
【０１１２】
このように、表示部１２０が現状モデルと願望モデルとをレーダーチャート形式で重ね合わせて表示することで、ユーザは、現状モデルと願望モデルとの相違を直感的に把握することができる。現状モデルと願望モデルとの相違がユーザの意図と異なる場合、ユーザが願望モデルを修正するようにしてもよい。特に、ユーザが、レーダーチャート形式の願望モデルを修正するようにしてもよい。これにより、ユーザは、表示部１２０の画面を切り替えること無しに、願望モデルの修正を行うことができる。
【０１１３】
図１３は、情報選択部１９５による提示情報候補からの情報の選択例を示す図である。図１３の例では、図１０に示す候補スコア対応情報の例に加えて、商品ＩＤ毎にユーザへの情報の提示の有無が示されている。図１３の「候補（数値のみ）」欄、「候補（免許取得情報付）」欄のいずれでも、「○」はユーザに情報を提示することを示し、空欄は、ユーザに情報を提示しないことを示している。
【０１１４】
具体的には、情報選択部１９５は、願望モデルを用いて提示情報候補の中からユーザに提示する情報を選択する。
【０１１５】
ここで、図３の現状モデルでは、「資格、免許」の項目のスコアは０．１、「オシャレ、レストラン」の項目のスコアは０（なし）、「ＴＶ、ゲーム、漫画」の項目のスコアは０．５となっている。このため、仮に、情報選択部１９５が願望モデルを用いず現状モデルに基づいて情報を選択した場合、図９〜図１０に示す提示情報候補のうち商品ＩＤが「ＡＳ００１」の「ナイトクルージング」のみがユーザに提示されると考えられる。
【０１１６】
この場合、商品ＩＤが「ＡＳ００２」の「漫画全巻セット」についてはスコアが全くの不一致となる。また、商品ＩＤが「ＡＳ００３」の「プロマネ資格取得」、及び、商品ＩＤが「ＡＳ００４」の「合宿免許」については、「資格、免許」の項目のスコアは現状モデルのスコアと類似するが、「オシャレ、レストラン」の項目は現状モデルには含まれていない。そして、現状モデルを全体的に見た場合、「資格、免許」に関するユーザの興味は小さいと判定され、候補から外れる、もしくは提示する優先度が低いと判定されることが考えられる。
【０１１７】
一方、情報選択部１９５が、現状モデルに願望モデルを加えて情報の選択を行う場合、「オシャレ、レストラン」の項目のスコア（０．４）、及び、「資格、免許」の項目のスコア（０．５）が加味される。これにより、図９〜図１０に示されている全商品がユーザに提示され得る。特に、現状モデルだけでは「オシャレ、レストラン」の項目が無く、有益な情報と判定されないのに対し、願望モデルが用いられることで、「オシャレ、レストラン」に関する情報もユーザへの提供対象となる。
【０１１８】
さらに、図１１に示される「差分」のスコアから、特にユーザのニーズとして重要視される情報が「オシャレ、レストラン」に関する情報、及び、「資格、免許」に関する情報ということが判定される。これにより、情報選択部１９５は、これら２つの要素を重視した情報の選択を行うことができる。
【０１１９】
なお、現状モデルと願望モデルとの差分が大きい場合、情報選択部１９５が、比較的スコアの低い情報を先に提示するようにしてもよい。例えば、図１３の例で、情報選択部１９５が、初めからスコアの高い商品、商品ＩＤが「ＡＳ００３」、の情報をユーザに提供せず、あえてスコアが高くない商品、商品ＩＤが「ＡＳ００４」、の情報からユーザに提供するようにしてもよい。そして、情報選択部１９５が、次のステップで、スコアが高い商品ＩＤが「ＡＳ００３」の商品の情報を、オススメ情報としてユーザに提供するようにしてもよい。
【０１２０】
次に、図１４を参照して提示情報選択装置１００の動作について説明する。
【０１２１】
図１４は、提示情報選択装置１００がユーザに提示する情報を選択する処理の手順の例を示すシーケンス図である。
＜シーケンスＳ１：商品情報の収集＞
候補取得部１９４は、通信部１１０を介していろいろなウェブページを参照し、ウェブページに示されている商品情報及びサービス情報を取得する。そして、候補取得部１９４は、得られた商品情報に基づいて提示情報候補を生成する。
＜シーケンスＳ２：ＥＣ（E-Commerce）サイトでの閲覧、商品購入＞
ユーザは、ブラウザ機能部１９１が提供するウェブブラウザを用いてＥＣサイト等のウェブサイトを閲覧する。気に入った商品又はサービスがあった場合、ユーザはそのウェブサイトで商品又はサービスを購入する。
＜シーケンスＳ３：行動情報の収集＞
現状情報取得部１９２は、ユーザが利用しているサービスでの商品閲覧・購入履歴などの行動情報をブラウザ機能部１９１から取得する。
＜シーケンスＳ４：現状モデルの生成＞
現状情報取得部１９２は、シーケンスＳ３で得られた行動情報に基づいて現状モデルを生成する。
＜シーケンスＳ５：現状モデルの表示＞
表示部１２０は、シーケンスＳ４で得られた現状モデルを表示する。
＜シーケンスＳ６：現状モデルの修正＞
ユーザは、シーケンスＳ５で表示された現状モデルを、ユーザの願望に基づいて、ユーザ自らが理想とするモデルに修正する。操作入力部１３０がモデル修正のユーザ操作を受け付ける。
＜シーケンスＳ７：願望モデルの取得＞
願望情報取得部１９３は、シーケンスＳ６でのユーザ修正後の現状モデルを願望モデルとして取得する。
＜シーケンスＳ８：現状モデルと願望モデルとの相違を評価＞
情報選択部１９５は、シーケンスＳ４で得られた現状情報とシーケンスＳ７で得られた願望モデルとの相違を評価する。具体的には、情報選択部１９５は、願望情報におけるスコアから現状情報におけるスコアを項目毎に減算してスコア差分情報を生成する。
＜シーケンスＳ９：候補スコア情報の生成＞
候補取得部１９４は、シーケンスＳ１で得られた提示情報候補に基づいて候補スコア情報を生成する。
＜シーケンスＳ１０：商品情報選択＞
情報選択部１９５は、シーケンスＳ１で得られた提示情報候補のうち、ユーザに提示する情報（商品情報又はサービス情報、又はこれらの組み合わせ）を選択する。情報選択部１９５は、シーケンスＳ８で得られたスコア差分情報と、シーケンスＳ９で得られた候補スコア情報とに基づいて情報の選択を行う。
＜シーケンスＳ１１：商品情報提示＞
表示部１２０は、シーケンスＳ１０で得られた商品情報又はサービス情報、又はこれらの組み合わせを表示することでユーザに提示する。
【０１２２】
以上のように、現状情報取得部１９２は、現状情報を取得する。願望情報取得部１９３は、願望情報を取得する。また、候補取得部１９４は、提示情報候補を取得する。そして、情報選択部１９５は、現状情報と願望情報との相違に基づいて、提示情報候補の中からユーザへの提示情報を選択する。
【０１２３】
これにより、情報選択部１９５は、ユーザが願望をかなえたいという欲求を満たすように、ユーザの願望と現状との差分に応じた情報を提供することができる。このように、情報選択部１９５は、ユーザの欲求を提示情報の選択に反映させることができるので、ユーザが欲する情報を提示できる可能性を高めることができる。
【０１２４】
また、現状情報取得部１９２は、ユーザの現状を項目毎にスコア化した現状モデルを取得する。願望情報取得部１９３は、ユーザがユーザ自らの願望に応じて現状モデルを書き換えた願望モデルを取得する。
【０１２５】
これにより、ユーザは願望モデルを一から生成する必要が無く、現状モデルを書き換えるという比較的簡単な操作で願望モデルを生成することができる。これにより、ユーザの負担を軽減させることができる。
【０１２６】
また、現状情報取得部１９２は、ユーザがコンピュータを用いて閲覧した商品情報及びサービス情報をスコア化して現状モデルを生成する。
【０１２７】
これにより、現状情報取得部１９２は、ユーザによる閲覧行為に基づいて現状モデルを生成することができる。ユーザの行為に基づいて現状モデルを生成する点で、現状情報取得部１９２は、ユーザモデルを比較的高精度に生成することができる。
【０１２８】
また、候補取得部１９４は、項目別にスコアが対応付けられた提示情報候補を取得する。情報選択部１９５は、願望モデルに示されるスコアと現状モデルに示されるスコアとの項目毎の差、及び、提示情報候補に付された項目毎のスコアに基づいて、提示情報候補のうちユーザへの提示情報を選択する。
【０１２９】
これにより、候補取得部１９４は、願望モデルに示されるスコアと現状モデルに示されるスコアとの項目毎の差と、提示情報候補に付された項目毎のスコアとを比較するという簡単な処理でユーザへの提示情報を選択することができる。
【０１３０】
次に、図１５を参照して、本発明の最小構成について説明する。
【０１３１】
図１５は、本発明に係る情報提示装置の最小構成を示す概略構成図である。図１５に示す提示情報選択装置１０は、現状情報取得部１１と、願望情報取得部１２と、候補取得部１３と、情報選択部１４とを備える。
【０１３２】
かかる構成にて、現状情報取得部１１は、ユーザの現状を示す情報である現状情報を取得する。願望情報取得部１２は、ユーザの願望を示す情報である願望情報を取得する。候補取得部１３は、ユーザに提示する情報の候補である提示情報候補を取得する。情報選択部１４は、現状情報と願望情報との相違に基づいて、提示情報候補の中からユーザへの提示情報を選択する。
【０１３３】
これにより、情報選択部１４は、ユーザが願望をかなえたいという欲求を満たすように、ユーザの願望と現状との差分に応じた情報を提供することができる。このように、情報選択部１４は、ユーザの欲求を提示情報の選択に反映させることができるので、ユーザが欲する情報を提示できる可能性を高めることができる。
【０１３４】
なお、制御部１９０の機能の全部または一部を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳ（Operating System）や周辺機器等のハードウェアを含むものとする。
【０１３５】
また、「コンピュータ読み取り可能な記録媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【０１３６】
以上、この発明の実施形態について図面を参照して詳述してきたが、具体的な構成はこの実施形態に限られるものではなく、この発明の要旨を逸脱しない範囲の設計等も含まれる。
【０１３７】
上記の本発明の実施形態は、以下の付記のようにも記載され得るが、以下に限定されるわけではない。
（付記１）
ユーザの現状を示す情報である現状情報を取得する現状情報取得手段と、
前記ユーザの願望を示す情報である願望情報を取得する願望情報取得手段と、
前記ユーザに提示する情報の候補である提示情報候補を取得する候補取得手段と、
前記現状情報と前記願望情報との相違に基づいて、前記提示情報候補の中から前記ユーザへの提示情報を選択する情報選択手段と、
を備える提示情報選択装置。
（付記２）
前記現状情報取得手段は、前記ユーザの現状を項目毎にスコア化した現状モデルを取得し、
前記願望情報取得手段は、前記ユーザがユーザ自らの願望に応じて前記現状モデルを書き換えた願望モデルを取得する、
付記１に記載の提示情報選択装置。
（付記３）
前記現状情報取得手段は、前記ユーザがコンピュータを用いて閲覧した商品情報及びサービス情報をスコア化して前記現状モデルを生成する、付記２に記載の提示情報選択装置。
（付記４）
前記候補取得手段は、前記項目別にスコアが対応付けられた前記提示情報候補を取得し、
前記情報選択手段は、前記願望モデルに示されるスコアと前記現状モデルに示されるスコアとの前記項目毎の差、及び、前記提示情報候補に付された前記項目毎のスコアに基づいて、前記提示情報候補のうち前記ユーザへの提示情報を選択する、
付記２または３に記載の提示情報選択装置。
（付記５）
ユーザの現状を示す情報である現状情報を取得し、
前記ユーザの願望を示す情報である願望情報を取得し、
前記ユーザに提示する情報の候補である提示情報候補を取得し、
前記現状情報と前記願望情報との相違に基づいて、前記提示情報候補の中から前記ユーザへの提示情報を選択する、
提示情報選択方法。
（付記６）
前記現状情報として、前記ユーザの現状を項目毎にスコア化した現状モデルを取得し、
前記願望情報として、前記ユーザがユーザ自らの願望に応じて前記現状モデルを書き換えた願望モデルを取得する、
付記５に記載の提示情報選択方法。
（付記７）
前記ユーザがコンピュータを用いて閲覧した商品情報及びサービス情報をスコア化して前記現状モデルを生成する、付記６に記載の提示情報選択方法。
（付記８）
前記項目別にスコアが対応付けられた前記提示情報候補を取得し、
前記願望モデルに示されるスコアと前記現状モデルに示されるスコアとの前記項目毎の差、及び、前記提示情報候補に付された前記項目毎のスコアに基づいて、前記提示情報候補のうち前記ユーザへの提示情報を選択する、
付記６または７に記載の提示情報選択方法。
（付記９）
ユーザの現状を示す情報である現状情報を取得することと、
前記ユーザの願望を示す情報である願望情報を取得することと、
前記ユーザに提示する情報の候補である提示情報候補を取得することと、
前記現状情報と前記願望情報との相違に基づいて、前記提示情報候補の中から前記ユーザへの提示情報を選択することと、
をコンピュータに実行させるためのプログラムを記録した記録媒体。
（付記１０）
前記プログラムは、前記コンピュータに、
前記現状情報として、前記ユーザの現状を項目毎にスコア化した現状モデルを取得することと、
前記願望情報として、前記ユーザがユーザ自らの願望に応じて前記現状モデルを書き換えた願望モデルを取得することと、
を実行させることを特徴とする付記９に記載の記録媒体。
（付記１１）
前記プログラムは、前記コンピュータに、
前記ユーザがコンピュータを用いて閲覧した商品情報及びサービス情報をスコア化して前記現状モデルを生成させる付記１０に記載の記録媒体。
（付記１２）
前記プログラムは、前記コンピュータに、
前記項目別にスコアが対応付けられた前記提示情報候補を取得することと、
前記願望モデルに示されるスコアと前記現状モデルに示されるスコアとの前記項目毎の差、及び、前記提示情報候補に付された前記項目毎のスコアに基づいて、前記提示情報候補のうち前記ユーザへの提示情報を選択することと、
を実行させることを特徴とする付記１０または１１に記載の記録媒体。
（付記１３）
前記プログラムは、前記コンピュータに、
前記項目別にスコアが対応付けられた前記提示情報候補を取得することと、
前記願望モデルに示されるスコアと前記現状モデルに示されるスコアとの前記項目毎の差、及び、前記提示情報候補に付された前記項目毎のスコアに基づいて、前記提示情報候補のうち前記ユーザへの提示情報を選択することと、
を実行させる付記１１または１２に記載の記録媒体。
【０１３８】
この出願は、２０１６年９月２３日に出願された日本出願特願２０１６−１８５５７８を基礎とする優先権を主張し、その開示の全てをここに取り込む。
【符号の説明】
【０１３９】
１００  提示情報選択装置
１１０  通信部
１２０  表示部
１３０  操作入力部
１８０  記憶部
１９０  制御部
１９１  ブラウザ機能部
１９２  現状情報取得部
１９３  願望情報取得部
１９４  候補取得部
１９５  情報選択部
【図１】
0006791252.tif 000002
【図２】
0006791252.tif 000003
【図３】
0006791252.tif 000004
【図４】
0006791252.tif 000005
【図５】
0006791252.tif 000006
【図６】
0006791252.tif 000007
【図７】
0006791252.tif 000008
【図８】
0006791252.tif 000009
【図９】
0006791252.tif 000010
【図１０】
0006791252.tif 000011
【図１１】
0006791252.tif 000012
【図１２】
0006791252.tif 000013
【図１３】
0006791252.tif 000014
【図１４】
0006791252.tif 000015
【図１５】
0006791252.tif 000016